(57)【要約】【課題】  ＯＦＤＭ復調装置において、復調すべき信号の変調方式によって復調処理の回路を切り換え、信号を復調する処理に係る電力を省力化する。【解決手段】  ＯＦＤＭ復調装置において、位相成分を変調された送信データを復調する位相復調回路２０、位相復調回路２０によって復調できない振幅成分が変調された送信データを復調する振幅復調回路２２と、送信データに位相変調のみがなされている場合には振幅復調回路２２の動作を停止させると共に、送信されたデータに位相及び振幅の変調がなされている場合には位相復調回路２０及び振幅復調回路２２を動作させる受信制御部２００を設ける。【選択図】  図２
2006339785.tif 000002
【特許請求の範囲】
【請求項１】
ＯＦＤＭ方式で送信されたデータを復調するＯＦＤＭ復調装置であって、
送信されたデータの第１の変調を復調する第１復調回路と、
前記第１復調回路によって復調できない第２の変調を復調する第２復調回路と、
送信されたデータに第１の変調のみがなされている場合には前記第２復調回路の動作を停止させると共に、送信されたデータに第１の変調及び第２の変調がなされている場合には前記第１復調回路及び第２復調回路を動作させる復調制御手段と、
を備えることを特徴とするＯＦＤＭ復調装置。
【請求項２】
前記復調制御手段は、
送信されたデータに第２の変調がなされているか否かを検出する変調検出手段と、
前記変調検出手段による検出結果に基づいて、送信データに第２の変調がなされていないことを示す信号を出力する信号出力手段と、を備え、
前記第２復調回路は、
前記信号出力手段によって出力された信号が入力された場合に動作を停止することを特徴とする請求項１に記載のＯＦＤＭ復調装置。
【請求項３】
前記第１復調回路は、
第１の変調で変調されたデータの実数成分を復調する実数成分復調回路と、
前記実数成分復調回路と並行して第１の変調で変調されたデータの虚数成分を復調する虚数成分復調回路と、を備えることを特徴とする請求項１または２に記載のＯＦＤＭ復調装置。
【請求項４】
前記第１復調回路に第１の変調で変調されたデータの実数成分を復調する動作タイミング及び虚数成分を復調する動作タイミングを指示する動作タイミング指示手段をさらに備え、
前記第１復調回路は、前記動作タイミング指示手段の指示にしたがう動作タイミングでデータの実数成分の復調と虚数成分の復調とを実行することを特徴とする請求項１または２に記載のＯＦＤＭ復調装置。
【請求項５】
前記第１復調回路は、送信されたデータの位相に関する変調を復調し、前記第２復調回路は、送信されたデータの位相及び振幅に関する変調を復調することを特徴とする請求項１から４のいずれか１項に記載のＯＦＤＭ復調装置。
【請求項６】
前記第１復調回路は、ＰＳＫ系の変調方式で変調されたデータ及びＱＡＭ系の変調方式で変調されたデータを復調する際に動作し、前記第２復調回路は、ＱＡＭ系の変調方式で変調されたデータを復調する際に動作することを特徴とする請求項１から５のいずれか１項に記載のＯＦＤＭ復調装置。
【請求項７】
前記変調検出手段は、送信されてきたデータに含まれるシンボルデータごとに送信されたデータに第２の変調がなされているか否かを検出し、前記信号出力手段は、シンボルデータごとに第２の変調がなされていないことを示す信号を出力することを特徴とする請求項２から６のいずれか１項に記載のＯＦＤＭ復調装置。
【請求項８】
前記復調制御手段は、前記第２復調回路に含まれる演算回路の各々のスイッチング動作を停止させることによって前記第２復調回路を停止することを特徴とする請求項１から７のいずれか１項に記載のＯＦＤＭ復調装置。
【発明の詳細な説明】
【技術分野】
【０００１】
本発明は、ＯＦＤＭ復調装置に関し、特に変調の方式が切り換わる信号を等化するＯＦＤＭ復調装置に係る。
【背景技術】
【０００２】
我が国においては、ＩＳＤＢ−Ｔ方式で地上デジタル放送が行われている。ＩＳＤＢ−Ｔ方式は、マルチキャリア方式の一つであって、ＯＦＤＭ（Orthogonal frequency division multiplex）と呼ばれる送信方式で信号を送受信している。ＯＦＤＭ方式では、サービスを提供するために必要な伝送容量に応じて、信号を所定の方式で変調して送信する。そして、信号の受信側で変調された信号を復調し、信号が示す情報を取得している。
【０００３】
現在、ＩＳＤＢ−Ｔにおける変調の方式としては、信号の位相のみ変調するＰＳＫ系の変調と、位相と振幅とを変調するＱＡＭ系の変調とがあって、両者を動的に切り換えながら信号を送受信するものがある。このような信号の復調装置には、ＱＡＭ系の方式で変調された信号の位相と振幅とを復調する構成が設けられている。変調された位相、振幅を復調する構成の従来例として、例えば、特許文献１、特許文献２が挙げられる。特許文献１、特許文献２には、変調された信号の位相と共に振幅を等化するため複素除算を行うことが記載されている。
【特許文献１】特開２００１−３１３６２８号公報
【特許文献２】特開２００１−２９２１２２号公報
【発明の開示】
【発明が解決しようとする課題】
【０００４】
上記した従来技術は、送信されてきた信号の変調方式を等化処理時に考慮するものでなく、ＰＳＫ系の変調とＱＡＭ系の変調とを動的に切り換える構成に適用した場合、常に複素除算を行う回路を動作させて信号の位相と共に振幅を復調する。
しかしながら、変調された信号の位相、振幅を復調するための回路は、復調装置において一般的に回路規模が大きく、消費電力も比較的大きい。
【０００５】
本発明は、このような点に鑑みてなされたものであって、復調すべき信号の変調方式によって復調処理の回路を切り換え、信号を復調する処理に係る電力を省力化するＯＦＤＭ復調装置を提供することを目的とする。
【課題を解決するための手段】
【０００６】
以上の課題を解決するため、本発明のＯＦＤＭ復調装置は、ＯＦＤＭ方式で送信されたデータを復調するＯＦＤＭ復調装置であって、送信されたデータの第１の変調を復調する第１復調回路と、前記第１復調回路によって復調できない第２の変調を復調する第２復調回路と、送信されたデータに第１の変調のみがなされている場合には前記第２復調回路の動作を停止させると共に、送信されたデータに第１の変調及び第２の変調がなされている場合には前記第１復調回路及び第２復調回路を動作させる復調制御手段と、を備えることを特徴とする。
【０００７】
このような発明によれば、送信されたデータの第１の変調を復調する第１復調回路と、前記第１復調回路のみによって復調できない第２の変調を復調する第２復調回路とを備え、送信されたデータに第１の変調のみがなされている場合には前記第２復調回路の動作を停止させる。また、送信されたデータに第１の変調及び第２の変調がなされている場合には前記第１復調回路及び第２復調回路を動作させることができる。
【０００８】
このような発明は、第１復調回路のみによって復調可能なデータが送信された際には第２復調回路が動作することをなくし、第２復調回路の動作に係る電力を低減することができる。また、第１復調回路のみによって復調できない第２の変調で変調された送信データを復調するにあたっては第１復調回路と共に第２復調回路を動作させることができる。このため、第１の変調のみならず、第２の変調方法で変調されたデータにも対応することができる。したがって、本発明は、復調すべき信号の変調方式によって復調処理の回路を切り換え、変調方式に応じて消費電力が好適に低減された等化処理ができる。
【０００９】
また、本発明のＯＦＤＭ復調装置は、前記復調制御手段が、送信されたデータに第２の変調がなされているか否かを検出する変調検出手段と、前記変調検出手段による検出結果に基づいて、送信データに第２の変調がなされていないことを示す信号を出力する信号出力手段と、を備え、前記第２復調回路が、前記信号出力手段によって出力された信号が入力された場合に動作を停止することを特徴とする。
【００１０】
このような発明によれば、第２の変調がなされていないときに第２復調回路を停止させる構成を比較的簡易に実現することができる。
また、本発明のＯＦＤＭ復調装置は、前記第１復調回路が、第１の変調で変調されたデータの実数成分を復調する実数成分復調回路と、前記実数成分復調回路と並行して第１の変調で変調されたデータの虚数成分を復調する虚数成分復調回路と、を備えることを特徴とする。
【００１１】
このような発明によれば、第１の変調で変調されたデータの実数成分の復調と虚数成分の復調とを各々独立した構成で実行することができる。このため、時分割処理等の制御が不要になり、復調処理の信頼性を高め、安定に動作させることができる。
また、本発明のＯＦＤＭ復調装置は、前記第１復調回路に第１の変調で変調されたデータの実数成分を復調する動作タイミング及び虚数成分を復調する動作タイミングを指示する動作タイミング指示手段をさらに備え、前記第１復調回路は、前記動作タイミング指示手段の指示にしたがう動作タイミングでデータの実数成分の復調と虚数成分の復調とを実行することを特徴とする。
【００１２】
このような発明によれば、第１の変調で変調されたデータの実数成分の復調と虚数成分の復調とを１つの構成で時分割処理することができる。このため、装置の回路規模が小さくなってＯＦＤＭ復調装置の小型化に有利になる。
また、本発明のＯＦＤＭ復調装置は、前記第１復調回路が、送信されたデータの位相に関する変調を復調し、前記第２復調回路は、送信されたデータの位相及び振幅に関する変調を復調することを特徴とする。
【００１３】
このような発明によれば、送信されたデータが位相についてのみ変調されている場合には位相に係る変調成分を復調し、振幅に係る復調の動作を省くことができる。また、送信されたデータが位相及び振幅について変調されている場合には、位相及び振幅に係る変調成分を復調し、適切に復調信号を得ることができる
また、本発明のＯＦＤＭ復調装置は、前記第１復調回路が、ＰＳＫ系の変調方式で変調されたデータ及びＱＡＭ系の変調方式で変調されたデータを復調する際に動作し、前記第２復調回路は、ＱＡＭ系の変調方式で変調されたデータを復調する際に動作することを特徴とする。
【００１４】
このような発明によれば、ＰＳＫ系の変調方式で変調されたデータが送信されてきた場合に第２復調回路の動作を停止し、第２復調回路の動作に係る電力を省力化することができる。
また、本発明のＯＦＤＭ復調装置は、前記変調検出手段は、送信されてきたデータに含まれるシンボルデータごとに送信されたデータに第２の変調がなされているか否かを検出し、前記信号出力手段は、シンボルデータごとに第２の変調がなされていないことを示す信号を出力することを特徴とする。
【００１５】
このような発明によれば、一連のデータの送受信中に送信データの変調方法を切り換える方式にも対応できるＯＦＤＭ復調装置を提供することができる。
また、本発明のＯＦＤＭ復調装置は、前記復調制御手段が、前記第２復調回路に含まれる演算回路の各々のスイッチング動作を停止させることによって前記第２復調回路を停止することを特徴とする。
【００１６】
このような発明によれば、第２復調回路を停止させることにより、第２復調回路における電力消費を抑えて装置の省力化をはかることができる。
【発明を実施するための最良の形態】
【００１７】
以下、図を参照して本発明に係るＯＦＤＭ復調装置の実施形態１、実施形態２を説明する。なお、本明細書では、実施形態の説明にあたって、先ず、本発明の実施形態で用いた変調方式について説明する。
本実施形態は、ＯＦＤＭ方式で送信されたデータを復調するＯＦＤＭ復調装置である。そして、ＩＳＤＢ−Ｔ（Integrated Services Digital Broadcasting-Terrestrial）において、ＰＳＫ（Phase-Shift Keying）系の変調とＱＡＭ（Quadrature Amplitude Modulation）系の変調とを動的に切り換えて信号を送受信する方式を採用したＯＦＤＭの送受信システムにおける受信側の装置に備えられるものである。このような送受信の方式は、ＩＳＤＢ−ＴやＩＳＤＢ−ＴＳＢ（Integrated Services Digital Broadcasting for Terrestrial Sound Broadcasting）の受信ベースバンドＩＣ等で使用されるものと考えられる。
【００１８】
本明細書では、ＰＳＫ系の変調としてＱＰＳＫ（Quadrature Phase Shift Keying）変調を、また、ＱＡＭ系の変調として１６ＱＡＭ（16 Quadrature Amplitude Modulation）を用いるものとする。ＱＰＳＫ変調方式では送信データは位相だけを使って送信される。また、１６ＱＡＭ変調方式では送信データは位相と振幅の両方を使ってデータを送信する。図５に、ＱＰＳＫ変調方式と１６ＱＡＭ変調方式との送信データを示す。
【００１９】
図５（ａ）はＱＰＳＫ変調方式で送信されるデータを示し、図５（ｂ）は１６ＱＡＭ変調方式で送信されるデータを示す。ＰＳＫ変調方式では、０，１，１，０…のビットデータを送信する場合、データは、（Ｉ，Ｑ）＝（１，−１）、（−１，１）…の複素数に変換されて送信される。図５（ａ）では、各点の原点からの距離が振幅を示し、この長さは√２でいずれも同じである。
【００２０】
また、各点は、π／４、３π／４、−π／４、−３π／４の４つの状態を取り得る。このことから、ＰＳＫ変調方式が、信号の位相のみを変調する変調方式であることが分かる。ＱＰＳＫ変調方式によれば、１データシンボルで２ビットのデータを送信することができる。
一方、図５（ｂ）に示すように、１６ＱＡＭ変調方式は、図５（ｂ）に示す各点は、４つの振幅と１６通りの位相を取り得る。このような１６ＱＡＭ変調方式は、信号の位相と共に振幅をも変調する変調方式であることが分かる。１６ＱＡＭ変調方式によれば、１データシンボルで４ビットのデータを送信することができる。
【００２１】
ところで、ＩＳＤＢ−Ｔでは、伝搬路においてデータシンボルＳ（ｆ）に伝搬路の周波数応答Ｈ（ｆ）が乗じられ、データシンボルＲ（ｆ）（＝Ｈ（ｆ）×Ｓ（ｆ））となって受信される。このため、受信側では、一般的にデータシンボルＲ（ｆ）を周波数応答Ｈ（ｆ）で除算してデータシンボルＳ（ｆ）を得ている。
なお、データシンボルＲ（ｆ）を周波数応答Ｈ（ｆ）で除算する演算においては、スキャッタードパイロット信号やコンティニュアルパイロット信号等を用いて推測された周波数応答Ｈ（ｆ）と、受信したデータシンボルＲ（ｆ）とを使ってデータシンボルＳ（ｆ）の推測値を得ることになる。推測値にプライムを付して示すと、以下のように表される。
【００２２】
Ｓ’（ｆ）＝Ｒ（ｆ）／Ｈ’（ｆ）                式（１）
また、式（１）において、変数は複素数であって、式（１）に示した演算を実行する回路をＩＣに実装する場合、この回路は、実数乗算器と実数除算器とで構成される。Ｓ’（ｆ）のうち、実数部をＲｅ｛Ｓ’（ｆ）｝、虚数部をＩｍ｛Ｓ’（ｆ）｝とすると、Ｒｅ｛Ｓ’（ｆ）｝、Ｉｍ｛Ｓ’（ｆ）｝は、例えば、以下の式によって表される。
【００２３】
Ｒｅ｛Ｓ’（ｆ）｝＝
（Ｒｅ｛Ｒ（ｆ）｝×Ｒｅ｛Ｈ’（ｆ）｝＋Ｉｍ｛Ｒ（ｆ）｝×Ｉｍ｛Ｈ’（ｆ）｝）
／（Ｒｅ｛Ｈ’（ｆ）｝×Ｒｅ｛Ｈ’（ｆ）｝＋Ｉｍ｛Ｈ’（ｆ）｝×Ｉｍ｛Ｈ’（ｆ）｝）  式（２）
【００２４】
Ｉｍ｛Ｓ’（ｆ）｝＝
（Ｉｍ｛Ｒ（ｆ）｝×Ｒｅ｛Ｈ’（ｆ）｝−Ｒｅ｛Ｒ（ｆ）｝×Ｉｍ｛Ｈ’（ｆ）｝）
／（Ｒｅ｛Ｈ’（ｆ）｝×Ｒｅ｛Ｈ’（ｆ）｝＋Ｉｍ｛Ｈ’（ｆ）｝×Ｉｍ｛Ｈ’（ｆ）｝）  式（３）
式（２）、式（３）に示すように、Ｓ’（ｆ）の実数部、虚数部を算出するためには、８回の乗算と２回の除算とを行う必要がある。ただし、式（２）、式（３）では、いずれも分母に同じ乗算が含まれている。このため、本発明の実施形態では、同じ乗算を実行する乗算器を共用することにより、６個の乗算器と２個の除算器とを使って式（２）、式（３）を実行するものとする。
【００２５】
また、式（２）、式（３）において、分子は受信されたデータの位相に係るデータを示し、分母は振幅方向の乗算係数を示す。このため、ＱＰＳＫ変調方式で送信されたデータを推測する場合、分母を計算する必要がない。また、１６ＱＡＭ変調方式で送信されたデータを推測する場合、分子と分母の両方を計算する必要がある。本発明の実施形態１、実施形態２は、この点に着目し、受信した信号の変調方式によって送信されたデータの推測に必要な演算をする回路だけを動作させ、信号を復調する処理に係る電力を省力化するものである。
【００２６】
（実施形態１）
図１は、実施形態１のＯＦＤＭ復調装置において、受信されるデータのフォーマットを説明するための図である。ＯＦＤＭ復調装置に送信されてくるデータには、送信の目的となるデータ（送信データ）１０３の前にコントロールデータ１０１が付されている。コントロールデータ１０１は、送信データ１０３が示すデータには、送信データ１０３の変調方式が含まれていて、コントロールデータ１０１によって送信データ１０３がＱＰＳＫ変調方式で変調されているか、または１６ＱＡＭ変調方式で変調されているかをＯＦＤＭ復調装置側で判定することができる。
【００２７】
なお、本実施形態では、送信データ１０３の１シンボルごとにコントロールデータ１０１を挿入するものとする。
図２は、実施形態１のＯＦＤＭ復調装置の復調処理を実行する構成を説明するための図である。図示した装置は、送信されてきたデータの復調処理を実行する復調回路２と、送信されてきたデータを受信すると共に受信されたデータ（受信データ）を実数成分Ｒｅ｛Ｒ（ｆ）｝、虚数成分Ｉｍ｛Ｒ（ｆ）｝ごとに復調回路２に入力する受信制御部２００とを備えている。
【００２８】
復調回路２は、送信されてきたデータの第１の変調（データの位相に関する変調）を復調する第１復調回路である位相復調回路２０と、位相復調回路２０のみによって復調できない第２の変調（データの振幅に関する変調）を復調する第２復調回路である振幅復調回路２２と、を有する。受信制御部２００は、データに位相に関する変調のみがなされている場合には振幅復調回路２２の動作を停止させると共に、送信されたデータに位相及び振幅に係る変調がなされている場合には位相復調回路２０及び振幅復調回路２２を動作させる復調制御手段として機能する。
【００２９】
なお、実施形態１でいう位相に関する変調とは、ＰＳＫ系変調方式をいう。また、送信データの位相及び振幅に関する変調とは、ＱＡＭ系変調方式をいうものとする。
位相復調回路２０は、ＱＰＳＫ変調方式で変調されたデータを復調するにあたり、データの実数成分と虚数成分とを別々に処理している。このため、位相復調回路２０は、実数成分を復調する実数成分復調回路２４と、実数成分復調回路２４と並行してＱＰＳＫ変調方式で変調されたデータの虚数成分を復調する虚数成分復調回路２６とを含む。位相復調回路２０のうち、乗算器２０１ａ、２０１ｂ、加算器２０３ａが実数成分復調回路２４を構成し、乗算器２０１ｃ、２０１ｄ、減算器２０４が虚数成分復調回路２６を構成する。
【００３０】
受信制御部２００は、送信データにＱＡＭ系の変調（１６ＱＡＭ変調方式を含む）がなされているか否かを検出する変調方法検出部２１０を備えている。実施形態１では、変調方法検出部２１０が、検出結果に基づいて、送信データにＱＡＭ系の変調がなされているか否かを示す変調方式検出信号ｍを出力する。
実施形態１では、変調方式検出信号ｍを０または１の信号とする。そして、ＱＡＭ系の変調がなされていないことを変調方式検出信号ｍ０で示し、ＱＡＭ系の変調がなされていることを変調方式検出信号ｍ１で示すものとする。なお、変調方式の検出は、受信データのシンボルデータごとになされ、変調方式検出信号ｍはシンボルデータごとに出力される。このため、実施形態１は、一連のデータ送受信の間にもデータの変調方式が動的に切り換えられるシステムに対応することができる。
【００３１】
振幅復調回路２２は、変調方式検出信号ｍを入力し、値が０である変調方式検出信号ｍが入力された場合に動作を停止する回路である。実施形態１では、受信制御部２００が、振幅復調回路２２に変調方式検出信号ｍを入力することによって振幅復調回路２２に含まれる演算回路の各々のスイッチング動作を停止させることによって振幅復調回路２２を停止させる。
【００３２】
振幅復調回路２２は、乗算器２０２ａ、２０２ｂ、加算器２０３ｂ、除算器２０５ａ、除算器２０５ｂで構成される。乗算器２０２ａの直前にはＡＮＤ回路２２０ａが設けられ、２０２ｂの直前にはＡＮＤ回路２２０ｂが設けられる。また、除算器２０５ａの直前にはＡＮＤ回路２２０ｃが設けられ、除算器２０５ｂの直前にはＡＮＤ回路２２０ｄが設けられている。
【００３３】
ＡＮＤ回路２２０ａ〜２２０ｄは、いずれも入力端の一方が変調方式検出信号ｍを入力し、０の値を持つ信号ｍが入力された場合には信号０を出力する。このため、変調方式検出信号ｍの値が０である間、ＡＮＤ回路２２０ａ、２２０ｂからの出力は０の値に保持される。したがって、乗算器２０２ａ、２０２ｂ及び除算器２０５ａ、２０５ｂは、変調方式検出信号ｍの値が０である間には常に０の信号が入力されるためにスイッチング動作を停止し、電力を消費することがない。
【００３４】
また、受信制御部２００は、実数成分Ｒｅ｛Ｒ（ｆ）｝、虚数成分Ｉｍ｛Ｒ（ｆ）｝や変調方式検出信号ｍと共に、受信データのパイロット信号から伝搬路の周波数応答Ｈ（ｆ）を推定する。そして、推定された周波数応答Ｈ（ｆ）を、実数成分、虚数成分ごとにＲｅ｛Ｈ’（ｆ）｝Ｉｍ｛Ｈ’（ｆ）｝として復調回路２に入力する。
なお、ＯＦＤＭ復調装置では、受信データの復調方式を知るための処理や構成が一般的に備えられている。実施形態１では、このような一般的な構成を変調方法検出部２１０として流用することにより、装置に必要な部品点数の増加を抑えることができる。
【００３５】
復調回路２は、前述した式（２）、式（３）の演算をし、データシンボルＳ（ｆ）を求める回路である。以下、実施形態１の復調回路２で行われる演算について説明する。なお、この説明においては、説明の簡単のため、式（２）、式（３）の項を、以下の記号にして図中に示すものとする。
Ｒｅ｛Ｒ（ｆ）｝×Ｒｅ｛Ｈ’（ｆ）｝≡Ａ
Ｉｍ｛Ｒ（ｆ）｝×Ｉｍ｛Ｈ’（ｆ）｝≡Ｂ
Ｒｅ｛Ｈ’（ｆ）｝×Ｒｅ｛Ｈ’（ｆ）｝≡Ｃ
Ｉｍ｛Ｈ’（ｆ）｝×Ｉｍ｛Ｈ’（ｆ）｝≡Ｄ
Ｉｍ｛Ｒ（ｆ）｝×Ｒｅ｛Ｈ’（ｆ）｝≡Ｅ
Ｒｅ｛Ｒ（ｆ）｝×Ｉｍ｛Ｈ’（ｆ）｝≡Ｆ
Ａ＋Ｂ≡Ｇ
Ｃ＋Ｄ≡Ｈ
Ｅ−Ｆ≡Ｉ
以上の記号を使って式（２）を表した式（２）´は、以下のように表される。
【００３６】
Ｒｅ｛Ｓ’（ｆ）｝＝Ｇ／Ｈ          式（２）´
また、以上の記号を使って式（３）を表した式（３）´は、以下のように表される。
Ｉｍ｛Ｓ’（ｆ）｝＝Ｉ／Ｈ          式（３）´
乗算器２０１ａは、受信データシンボルの実数成分Ｒｅ｛Ｒ（ｆ）｝、周波数応答の実数成分Ｒｅ｛Ｈ’（ｆ）｝をそれぞれ入力し、乗算して乗算値Ａを算出する。また、乗算器２０１ｂは、受信データシンボルの虚数成分Ｉｍ｛Ｒ（ｆ）｝、周波数応答の虚数成分Ｉｍ｛Ｈ’（ｆ）｝をそれぞれ入力し、乗算して乗算値Ｂを算出する。乗算値Ａ、乗算値Ｂは、加算器２０３ａに入力され、加算されて加算値Ｇとして加算器２０３ａから出力される。加算値Ｇはセレクタ２０６ａ及び除算器２０５ａに入力する。
【００３７】
また、乗算器２０１ｃは、受信データシンボルの虚数成分Ｉｍ｛Ｒ（ｆ）｝、周波数応答の実数成分Ｒｅ｛Ｈ’（ｆ）｝をそれぞれ入力し、乗算して乗算値Ｅを算出する。また、乗算器２０１ｄは、受信データシンボルの実数成分Ｒｅ｛Ｒ（ｆ）｝、周波数応答の虚数成分Ｉｍ｛Ｈ’（ｆ）｝をそれぞれ入力し、乗算して乗算値Ｆを算出する。乗算値Ｅ、乗算値Ｆは、減算器２０４に入力されて減算され、減算値Ｉとして減算器２０４からセレクタ２０６ｂ及び除算器２０５ｂに入力する。
【００３８】
セレクタ２０６ａ、２０６ｂは、いずれも入力された値を図示しないデマッパに向けて出力させる。セレクタ２０６ａ、２０６ｂは、変調方法検出部２１０が出力した１または０の信号（変調方式検出信号）を入力し、この１または０によって２つの入力のうち１つを選択して入力した後に出力する。なお、デマッパは、入力された値をビットデータに変換し、推定された送信データを示す信号を生成するものである。
【００３９】
実施形態１では、加算器２０３ａ、除算器２０５ａがセレクタ２０６ａに演算結果を入力可能である。そして、セレクタ２０６ａが、変調方式検出信号が０であった場合に加算器２０３ａからの出力を入力し、変調方式検出信号が１であった場合に除算器２０５ａからの出力を入力するように構成されている。また、減算器２０４、除算器２０５ｂがセレクタ２０６ｂに演算結果を入力可能である。そして、セレクタ２０６ｂが、変調方式検出信号が０であった場合に減算器２０４からの出力を入力し、変調方式検出信号が１であった場合に除算器２０５ｂからの出力を入力するように構成されている。
【００４０】
乗算器２０２ａには、処理すべきシンボルデータが１６ＱＡＭ変調方式で変調されたものであって、変調方法検出部２１０が出力した変調方式検出信号が１である場合にのみ周波数応答の実数成分Ｒｅ｛Ｈ’（ｆ）｝が入力される。周波数応答の実数成分Ｒｅ｛Ｈ’（ｆ）｝が入力された場合、乗算器２０２ａは、Ｒｅ｛Ｈ’（ｆ）｝同士を乗算して周波数応答の実数成分の二乗値Ｃを得る。
【００４１】
また、乗算器２０２ａには、今処理すべきシンボルデータが１６ＱＡＭ変調方式で変調されたものでない場合（本実施形態ではＱＰＳＫ変調方式）、ＡＮＤ回路２２０ａから０の信号が入力される。０の信号は、ＱＰＳＫ変調方式で変調されたデータを処理する間は変化しない。このため、乗算器２０２ａがスイッチング動作を停止し、この間スイッチング動作を停止する。
【００４２】
同様に、乗算器２０２ｂは、１６ＱＡＭ変調方式で変調された送信データが受信された場合にだけ周波数応答の虚数成分Ｉｍ｛Ｈ’（ｆ）｝と、変調方式検出信号とを入力する。このとき、乗算器２０２ｂは、Ｉｍ｛Ｈ’（ｆ）｝同士を乗算して周波数応答の虚数成分の二乗値Ｄを得る。また、今処理すべきシンボルデータがＱＰＳＫ変調方式で変調されたものである場合には、スイッチング動作を停止する。
【００４３】
加算器２０３ｂは、乗算器２０２ａから出力された二乗値Ｃ、２０２ｂから出力された二乗値Ｄを入力し、両者を加算して加算値Ｈを出力する。また、加算器２０３ｂは、処理すべきシンボルデータがＱＰＳＫ変調方式で変調されたものである間、前段の乗算器２２０ａ、２２０ｂから入力される信号が０の値のまま変化しなくなるため、スイッチング動作を停止する。
【００４４】
除算器２０５ａは、加算値Ｇと加算値Ｈとを入力する。そして、入力された加算値Ｇを加算値Ｈで除算して送信データの実数成分、Ｒｅ｛Ｓ’（ｆ）｝の値であるＧ／Ｈを算出する。また、除算器２０５ｂは、加算値Ｉと加算値Ｈとを入力する。そして、入力された加算値Ｉを加算値Ｈで除算して送信データの虚数成分、Ｉｍ｛Ｓ’（ｆ）｝の値であるＩ／Ｈを算出する。また、除算器２０５ａ、２０５ｂは、処理すべきシンボルデータがＱＰＳＫ変調方式で変調されたものである間、加算器２０３ｂから入力される信号が０の値のまま変化しなくなるため、スイッチング動作を停止する。
【００４５】
以上述べた復調回路２を備えたＯＦＤＭ復調回路は、以下のように動作する。すなわち、実施形態１のＯＦＤＭ復調回路を備えた受信装置に対し、送信装置は、コントロールデータ１０１が付された送信データ１０３（受信データと記す）を送信する。送信されるデータの変調方式は、ＱＰＳＫ変調方式または１６ＱＡＭ変調方式のいずれかに動的に切り換えられている。次に、実施形態１のＯＦＤＭ復調回路の動作を、送信データがＱＰＳＫ変調方式で変調されている場合、１６ＱＡＭ変調方式で変調されている場合に分けて説明する。
【００４６】
（１）ＱＰＳＫ変調
受信制御部２００は、ＱＰＳＫ変調方式で変調された受信データを受信した場合、送信データ１０３の実数成分に係るＲｅ｛Ｒ（ｆ）｝、虚数成分に係るＩｍ｛Ｒ（ｆ）｝と、受信データのパイロット信号から得た周波数応答の実数成分Ｒｅ｛Ｈ’（ｆ）｝、虚数成分Ｉｍ｛Ｈ’（ｆ）｝とをシンボルデータごとに復調回路２に入力する。
【００４７】
また、変調方法検出部２１０は、コントロールデータ１０１から受信データの変調方式が１６ＱＡＭ変調方式であるか否か検出し、ＱＡＭ系の変調方式でないことを検出して０の変調方式検出信号を復調回路２に入力させる。
乗算器２０２ａ、２０２ｂは、ＡＮＤ回路２２０ａ、２２０ｂに０の変調方式検出信号を入力されたことによって各々０の値を出力した状態で動作を停止する。このため、加算値２０３ｂ、除算器２０５ａ、２０５ｂに入力される信号も変調方式検出信号が０の間は動作を停止する。このため、除算器２０５ａ、２０５ｂが出力した信号は、不適正な値としてセレクタ２０６ａ、２０６ｂに出力される。
【００４８】
また、復調回路２では、上記した動作と並行し、Ｒｅ｛Ｒ（ｆ）｝、Ｉｍ｛Ｒ（ｆ）｝、Ｒｅ｛Ｈ’（ｆ）｝、Ｉｍ｛Ｈ’（ｆ）｝から加算値Ｇが算出されてセレクタ２０６ａに入力される。さらに、減算値Ｉが算出されてセレクタ２０６ｂに入力される。
この結果、セレクタ２０６ａには、加算値Ｇ、０の変調方式検出信号、除算器２０５ａの出力信号が同時に入力されることになる。セレクタ２０６ａは、入力された変調方式検出信号が０であるため加算器２０３ａが出力した加算値Ｇを入力する。同様に、セレクタ２０６ｂには、減算値Ｉ、０の変調方式検出信号、除算器２０５ｂの出力信号が同時に入力されることになる。セレクタ２０６ｂは、入力された変調方式検出信号が０であるため減算器２０４が出力した減算値Ｉを入力する。
【００４９】
セレクタ２０６ａに入力された加算値Ｇ、セレクタ２０６ｂに入力された減算値Ｉは、いずれもデマッパに出力されて推定された送信データを表すビットデータに変換される。加算値Ｇは、式（２）´に示した送信データの実数成分Ｒｅ｛Ｓ’（ｆ）｝のうち分子に相当する。また、減算値Ｉは、式（３）´に示した送信データの虚数成分Ｉｍ｛Ｓ’（ｆ）｝のうち分子に相当する。
【００５０】
前記したように、ＱＰＳＫ等の変調方式では、実数成分Ｒｅ｛Ｓ’（ｆ）｝、虚数成分Ｉｍ｛Ｓ’（ｆ）｝の分子を計算することによって送信データの推測が可能である。このため、実施形態１では、式（２）´、式（３）´のうち送信データの推測に不要な分母の計算をする乗算器２０２ａ、２０２ｂ、除算器２０５ａ、２０５ｂを停止させて消費電力を抑えることができる。
【００５１】
（２）１６ＱＡＭ変調
次に、実施形態１のＯＦＤＭ復調装置が、１６ＱＡＭ変調方式で変調された受信データを受信した場合の動作を説明する。
【００５２】
受信制御部２００は、１６ＱＡＭ変調方式で変調された受信データを受信した場合、送信データ１０３の実数成分に係るＲｅ｛Ｒ（ｆ）｝、虚数成分に係るＩｍ｛Ｒ（ｆ）｝と、受信データのパイロット信号から得た周波数応答の実数成分Ｒｅ｛Ｈ’（ｆ）｝、虚数成分Ｉｍ｛Ｈ’（ｆ）｝とをシンボルごとに復調回路２に入力する。
また、変調方法検出部２１０は、コントロールデータ１０１から受信データの変調方式が１６ＱＡＭ変調方式であるか否か検出し、ＱＡＭ系の変調方式であることを検出して１の変調方式検出信号を復調回路２に入力させる。
【００５３】
乗算器２０２ａ、２０２ｂは、ＡＮＤ回路２２０ａ、２２０ｂが１の変調方式検出信号を入力したことによって周波数応答の実数成分Ｒｅ｛Ｈ’（ｆ）｝、虚数成分Ｉｍ｛Ｈ’（ｆ）｝を入力し、乗算を実行するために動作する。このため、乗算器２０２ａから出力されたＲｅ｛Ｈ´（ｆ）｝の二乗と乗算器２０２ｂら出力されたＩｍ｛Ｈ´（ｆ）｝の二乗とが加算器２０３ｂで加算され、加算値Ｈが除算器２０５ａ、２０５ｂに入力される。
【００５４】
一方、加算器２０３ａは、乗算器２０１ａによって出力されたＡと乗算器２０１ｂによって出力されたＢとを加算し、加算値Ｇをセレクタ２０６ａ及び除算器２０５ａに出力する。また、加算器２０３ｂは、乗算器２０１ｃによって出力されたＥと乗算器２０１ｄによって出力されたＦとを加算し、加算値Ｉをセレクタ２０６ｂ及び除算器２０５ｂに出力する。除算器２０５ａは乗算値ＧをＨで除算し、除算器２０５ｂは乗算値ＩをＨで除算する。Ｇ／Ｈ、Ｉ／Ｈは、セレクタ２０６ａ、２０６ｂに各々出力される。
【００５５】
このとき、セレクタ２０６ａには、１の変調方式検出信号が入力されている。このため、セレクタ２０６ａは、除算器２０５ａが出力した除算値Ｇ／Ｈを入力する。同様に、セレクタ２０６ｂは、除算器２０５ｂが出力した除算値Ｉ／Ｈを入力する。
セレクタ２０６ａに入力された除算値Ｇ／Ｈ、セレクタ２０６ｂに入力された除算値Ｉ／Ｈは、いずれもデマッパに出力されて推定された送信データを表すビットデータに変換される。除算値Ｇ／Ｈは、式（２）´に示した送信データの実数成分Ｒｅ｛Ｓ’（ｆ）｝に相当する。また、除算値Ｉ／Ｈは、式（３）´に示した送信データの虚数成分Ｉｍ｛Ｓ’（ｆ）｝に相当する。
【００５６】
前記したように、１６ＱＡＭ等の変調方式は、位相ばかりでなく振幅も変調されている。このため、変調前の送信データを推定するためには、実数成分Ｒｅ｛Ｓ’（ｆ）｝、虚数成分Ｉｍ｛Ｓ’（ｆ）｝の分子及び分母を計算することが必要である。実施形態１では、送信データの推測に必要な場合は式（２）´、式（３）´分子、分母を計算し、１６ＱＡＭ変調方式で変調された送信データを推定することができる。
【００５７】
（実施形態２）
次に、実施形態２のＯＦＤＭ復調装置を説明する。図３は、実施形態２のＯＦＤＭ復調装置の復調処理を実行する構成を説明するための図である。
【００５８】
図３に示した復調回路３は、位相復調回路３０と、振幅復調回路３２とを備えている。また、実施形態２のＯＦＤＭ復調回路は、位相復調回路３０にＱＰＳＫ変調方式で変調されたデータの実数成分を復調する動作タイミング及び虚数成分を復調する動作タイミングを指示するタイミング調整部３１０を備えている。そして、位相復調回路３０が、タイミング調整部３１０の指示にしたがう動作タイミングでデータの実数成分の復調と虚数成分の復調とを実行する。なお、図３において、実施形態１の図２において説明した構成と同様の構成については同様の符号を付し、説明を一部省くものとする。
【００５９】
このような実施形態２のＯＦＤＭ復調装置は、受信データシンボルの実数成分Ｒｅ｛Ｒ（ｆ）｝、虚数成分Ｉｍ｛Ｒ（ｆ）｝、周波数応答の実数成分Ｒｅ｛H'（ｆ）｝、虚数成分Ｉｍ｛H'（ｆ）｝の復調回路３に対する入力のタイミングを調整し、送信データの虚数成分を推定するための回路と実数成分を推定するための回路とを共用し、ＯＦＤＭ復調回路の規模をさらに縮小するものである。
【００６０】
位相復調回路３０は、２つのフリップ・フロップ回路（以下、ＦＦと記す）３０７ａ、３０７ｂと、３つの乗算器３０１ａ、３０１ｂ、３０１ｃ、２つのセレクタ３０８ａ、３０８ｂ、加算器３０３ａを含む。３つの乗算器のうち、乗算器３０１ａは、入力した値に−１を乗じて出力する構成である。
振幅復調回路３２は、２つのＦＦ３０７ｃ、３０７ｄと、２つの乗算器３０２ａ、３０２ｂ、加算器３０３ｂ、除算器３０５を含む。また、振幅復調回路３２は、乗算器３０２ａ、３０２ｂに設けられたＡＮＤ回路３２０ａ、３２０ｂと、除算器３０５の直前に設けられたＡＮＤ回路３２０ｃとを備えている。
【００６１】
復調回路３は、さらに、位相復調回路３０の出力、振幅復調回路３２の出力のいずれか一方を選択して出力するセレクタ３０８ｃ、セレクタ３０８ｃの出力を遅延させて出力するＦＦ３０９、３０７ｅ、３０７ｆを備えている。ＦＦ３０９、３０７ｅ、３０７ｆのうち、ＦＦ３０９と、３０７ｅ及び３０７ｆとは異なるクロックで動作する。
タイミング調整部３１０は、位相復調回路３０、振幅復調回路３２のＦＦ３０７ａ〜３０７ｄに対し、受信データシンボルの実数成分Ｒｅ｛Ｒ（ｆ）｝、虚数成分Ｉｍ｛Ｒ（ｆ）｝、周波数応答の実数成分Ｒｅ｛H'（ｆ）｝、虚数成分Ｉｍ｛H'（ｆ）｝を出力する。さらに、タイミング調整部３１０は、位相復調回路３０に動作タイミングを指示するタイミング信号ｔを振幅復調回路３２のセレクタ３０８ａ、３０８ｂに出力する。セレクタ３０８ａ、３０８ｂは、タイミング信号ｔの１または０の別によって２つのデータのうちの１つを選択して出力するものである。
【００６２】
図４は、タイミング調整部３１０が出力するタイミング信号ｔと、復調回路３の動作タイミングを説明するための図である。ＦＦ３０７ａ〜３０７ｅは、図４のクロック１（ｃｌｋ１）で動作し、ＦＦ３０９は、クロック２（ｃｌｋ２）で動作する。また、タイミング信号ｔは、クロック１のタイミングで出力されてクロック２の周期で１または０が切り換えられる。そして、ＦＦ３０７ａ〜３０７ｄに対する入力及びＦＦ３０７ｅ、３０７ｆの出力は、クロック１のタイミングで行われる。
【００６３】
復調回路３のＦＦ３０７ａには、受信データシンボルの実数成分Ｒｅ｛Ｒ（ｆ）｝が入力され、ＦＦ３０７ｂには虚数成分Ｉｍ｛Ｒ（ｆ）｝が入力される。また、ＦＦ３０７ｃには周波数応答の実数成分Ｒｅ｛Ｈ’（ｆ）｝が入力され、ＦＦ３０７ｄには周波数応答の虚数成分Ｉｍ｛Ｈ’（ｆ）｝が入力される。
位相復調回路３０の乗算器３０１ｂには、ＦＦ３０７ａを介して受信データシンボルの実数成分Ｒｅ｛Ｒ（ｆ）｝が入力される。セレクタ３０８ａには、周波数応答の実数成分Ｒｅ｛Ｈ’（ｆ）｝と虚数成分Ｉｍ｛Ｈ’（ｆ）｝とが入力される。セレクタ３０８ａは、タイミング信号ｔを入力し、この値が１であれば周波数応答の実数成分Ｒｅ｛Ｈ’（ｆ）｝を選択して乗算器３０１ｂに出力する。一方、タイミング信号ｔの値が０であれば、周波数応答の虚数成分Ｉｍ｛Ｈ’（ｆ）｝を選択して乗算器３０１ｂに出力する。
【００６４】
乗算器３０１ｂでは、実数成分Ｒｅ｛Ｈ’（ｆ）｝が出力された場合、Ｒｅ｛Ｈ’（ｆ）｝を受信データシンボルの実数成分Ｒｅ｛Ｒ（ｆ）｝と乗算して乗算値Ａを出力する。一方、虚数成分Ｉｍ｛Ｈ’（ｆ）｝が出力された場合、Ｉｍ｛Ｈ’（ｆ）｝を受信データシンボルの実数成分Ｒｅ｛Ｒ（ｆ）｝と乗算して乗算値Ｆを出力する。なお、乗算器３０１ｂに出力された虚数成分Ｉｍ｛Ｈ’（ｆ）｝は、乗算器３０１ａによって−１が乗じられている。
【００６５】
また、乗算器３０１ｃには、ＦＦ３０７ｂを介して受信データシンボルの虚数成分Ｉｍ｛Ｒ（ｆ）｝が入力される。セレクタ３０８ｂには、周波数応答の実数成分Ｒｅ｛Ｈ’（ｆ）｝と虚数成分Ｉｍ｛Ｈ’（ｆ）｝とが入力される。セレクタ３０８ｂは、タイミング信号ｔを入力し、この値が０であれば周波数応答の実数成分Ｒｅ｛Ｈ’（ｆ）｝を選択して乗算器３０１ｂに出力する。一方、タイミング信号ｔの値が１であれば、周波数応答の虚数成分Ｉｍ｛Ｈ’（ｆ）｝を選択して乗算器３０１ｃに出力する。
【００６６】
乗算器３０１ｃでは、実数成分Ｒｅ｛Ｈ’（ｆ）｝が出力された場合、Ｒｅ｛Ｈ’（ｆ）｝を受信データシンボルの虚数成分Ｉｍ｛Ｒ（ｆ）｝と乗算して乗算値Ｅを出力する。一方、虚数成分Ｉｍ｛Ｈ’（ｆ）｝が出力された場合、Ｉｍ｛Ｈ’（ｆ）｝を受信データシンボルの虚数成分Ｉｍ｛Ｒ（ｆ）｝と乗算して乗算値Ｂを出力する。
加算器３０３ａは、乗算器３０１ａから出力された乗算値Ａまたは乗算値Ｆと乗算器３０１ｃから出力された乗算値Ｅまたは乗算値Ｂとを加算する。このとき、加算器３０３ａには、タイミング信号ｔが１のタイミングでＡとＢが出力されて加算される。このため、加算器３０３ａは、加算値ＡとＢとを加算して実数成分に係る加算値Ｇを出力する。一方、加算器３０３ａには、タイミング信号ｔが０のタイミングで乗算値Ｅと乗算値Ｆが出力されて加算される。このため、加算器３０３ａは、乗算値Ｅと乗算値Ｆとを加算して虚数成分に係る加算値Ｉを出力する。
【００６７】
この際、実施形態２では、図４に示したように、タイミング信号ｔはクロック１の半分の周期で１または０が切り換わる。このため、加算器３０３ａは、１クロックの間に加算値Ｇ及び加算値Ｉを出力することができる。
セレクタ３０８ｃは、加算器３０３ａから出力された加算値Ｇまたは加算値Ｉ、あるいは実数成分に係る除算値Ｇ／Ｈ、虚数成分に係る除算値Ｉ／Ｈを入力する。また、セレクタ３０８ｃには変調方式検出信号ｍが入力されていて、入力された変調方式検出信号ｍが０であった場合に加算値Ｇまたは加算値Ｉを出力する。そして、変調方式検出信号ｍが１であった場合に除算値Ｇ／Ｈまたは除算値Ｉ／Ｈを出力する。
【００６８】
ＦＦ３０９は、ＦＦ３０７ｆに出力される加算値Ｇまたは除算値Ｇ／Ｈを分岐してＦＦ３０７ｅに出力する。この結果、ＦＦ３０７ｅからは送信データの実数成分に係る推定値が、ＦＦ３０７ｆからは送信データの虚数成分に係る推定値がクロック１で出力される。
以上述べた復調回路３を備えたＯＦＤＭ復調回路は、以下のように動作する。
【００６９】
（１）ＱＰＳＫ変調
受信制御部３００は、ＱＰＳＫ変調方式で変調された受信データを受信した場合、送信データ１０３の実数成分に係るＲｅ｛Ｒ（ｆ）｝、虚数成分に係るＩｍ｛Ｒ（ｆ）｝と、受信データのパイロット信号から得た周波数応答の実数成分Ｒｅ｛Ｈ’（ｆ）｝、虚数成分Ｉｍ｛Ｈ’（ｆ）｝とをシンボルごとに復調回路３のＦＦ３０７ａ〜３０７ｄに入力する。
【００７０】
また、変調方法検出部２１０は、コントロールデータ１０１から受信データの変調方式が１６ＱＡＭ変調方式であるか否か検出し、ＱＡＭ系の変調方式でないことを検出して０の変調方式検出信号ｍを復調回路３に入力させる。
乗算器３０２ａ、３０２ｂは、ＡＮＤ回路３２０ａ、３２０ｂが０の変調方式検出信号を入力したことによって動作を停止するので、加算器３０３ｂ、除算器３０５が停止する。
【００７１】
また、復調回路３では、上記した動作と並行し、タイミング信号１のタイミングで乗算器３０１ｂから加算器３０３ａに乗算値Ａと乗算値Ｂとが出力され、加算器３０３ａは加算値Ｇを出力する。また、タイミング信号０のタイミングで乗算器３０１ｂから加算器３０３ａに乗算値Ｅと乗算値Ｆとが出力され、加算器３０３ａは加算値Ｉを出力する。
加算値Ｇ、加算値Ｉは、セレクタ３０８に１クロックの間に入力される。また、加算値Ｇ、加算値Ｉは、セレクタ３０８の手前で分岐し、除算器３０５に入力される。また、セレクタ３０８に入力する変調方式検出信号ｍは０であるので、セレクタ３０８は、１クロック内において加算値Ｇ及び加算値Ｉを選択する。加算値Ｇは、実数成分としてＦＦ３０７ｅから出力され、図示しないデマッパでビットデータに変換される。同様に、加算値Ｉは、虚数成分としてＦＦ３０７ｆから出力され、図示しないデマッパでビットデータに変換される。
【００７２】
（２）１６ＱＡＭ変調
次に、実施形態２のＯＦＤＭ復調装置が、１６ＱＡＭ変調方式で変調された受信データを受信した場合の動作を説明する。
受信制御部３００は１６ＱＡＭ変調方式で変調された受信データを受信した場合にも、送信データ１０３の実数成分に係るＲｅ｛Ｒ（ｆ）｝、虚数成分に係るＩｍ｛Ｒ（ｆ）｝と、受信データのパイロット信号から得た周波数応答の実数成分Ｒｅ｛Ｈ’（ｆ）｝、虚数成分Ｉｍ｛Ｈ’（ｆ）｝とをシンボルごとに復調回路３のＦＦ３０７ａ〜３０７ｄに入力する。
【００７３】
また、変調方法検出部２１０は、コントロールデータ１０１から受信データの変調方式が１６ＱＡＭ変調方式であることを示す１の値を持った変調方式検出信号ｍを復調回路３に入力させる。乗算器３０２ａ、３０２ｂは、ＡＮＤ回路３２０ａ、３２０ｂが１の値の変調方式検出信号を入力したことによって動作し、加算値Ｈを除算器３０５に入力する。
また、復調回路３では、タイミング信号１のタイミングで乗算器３０１ｂから加算器３０３ａに乗算値Ａと乗算値Ｂとが出力され、加算器３０３ａは加算値Ｇを出力する。また、タイミング信号０のタイミングで乗算器３０１ｂから加算器３０３ａに乗算値Ｅと乗算値Ｆとが出力され、加算器３０３ａは加算値Ｉを出力する。
【００７４】
加算値Ｇ、加算値Ｉは、セレクタ３０８に１クロックの間に入力される。また、加算値Ｇ、加算値Ｉは、セレクタ３０８の手前で分岐し、除算器３０５に入力される。除算器３０５は、入力された加算値Ｇ、加算値ＩをＨで除算して除算値Ｇ／Ｈ、Ｉ／Ｈを算出してセレクタ３０８に入力する。
このとき、セレクタ３０８に入力される変調方式検出信号ｍは１であるので、セレクタ３０８は、１クロック内において除算値Ｇ／Ｈ及び除算値Ｉ／Ｈを選択する。除算値Ｇ／Ｈは、実数成分としてＦＦ３０７ｅから出力され、図示しないデマッパでビットデータに変換される。同様に、加算値Ｉ／Ｈは、虚数成分としてＦＦ３０７ｆから出力され、図示しないデマッパでビットデータに変換される。
【００７５】
以上述べた実施形態２は、実施形態１で得られる効果に加え、信号を復調する回路の部品点数を低減して回路規模を小さくし、装置を小型化することができるという効果を奏する。
【図面の簡単な説明】
【００７６】
【図１】本発明の実施形態１、実施形態２のＯＦＤＭ復調装置において、受信されるデータのフォーマットを説明するための図である。
【図２】本発明の実施形態１のＯＦＤＭ復調装置の復調処理を実行する構成を説明するための図である。
【図３】本発明の実施形態２のＯＦＤＭ復調装置の復調処理を実行する構成を説明するための図である。
【図４】本発明の実施形態２のタイミング信号ｔと復調回路の動作タイミングを説明するための図である。
【図５】ＱＰＳＫ変調方式と１６ＱＡＭ変調方式との送信データを説明するための図である。
【符号の説明】
【００７７】
２，３復調回路、２０，３０  位相復調回路、２２，３２  振幅復調回路
２４  実数成分復調回路、２６  虚数成分復調回路、
１０１  コントロールデータ、１０３  送信データ、
２００，３００  受信制御部
２０１ａ〜２０１ｄ，２０２ａ，２０２ｂ，３０１ａ〜３０１ｃ  乗算器
２０３ａ，２０３ｂ，３０３ａ，３０３ｂ  加算器
２０４  減算器、２０５ａ，２０５ｂ，３０５  除算器、
２０６ａ，２０６ｂ，３０８ａ〜３０８ｃ  セレクタ
２１０  変調方法検出部、３０７ａ〜３０７ｅ  フリップ・フロップ回路（ＦＦ）
３１０  タイミング調整部
【図１】
2006339785.tif 000003
【図２】
2006339785.tif 000004
【図３】
2006339785.tif 000005
【図４】
2006339785.tif 000006
【図５】
2006339785.tif 000007